(57)【特許請求の範囲】
【請求項１】
ノブ本体と、前記ノブ本体の側面及び上面を覆う化粧ノブとを具備し、前記ノブ本体をスライドすることによりスイッチオフに切り替えを行うマイクロホンスイッチであって、
前記ノブ本体の上面側に設けられるとともに前記化粧ノブを前記ノブ本体の上面から引き離す方向に付勢する弾性部材を有し、前記化粧ノブを押し込み、前記弾性部材を圧縮させることにより接点が閉じる第１のスイッチと、
前記ノブ本体をスライドさせることにより接点が閉じる第２のスイッチとを備え、
前記第１のスイッチが有する接点は、導電布または、圧力の印加により抵抗値が低下し導通する抵抗部材を含むことを特徴とするマイクロホンスイッチ。
【請求項２】
前記弾性部材は、スポンジにより形成されていることを特徴とする請求項１に記載されたマイクロホンスイッチ。
【発明の詳細な説明】
【技術分野】
【０００１】
本発明は、マイクロホンスイッチに関し、特にスイッチ操作時における節度感（クリック感）を損なうことなく、振動雑音を防止することのできるマイクロホンスイッチに関する。
【背景技術】
【０００２】
例えばカラオケ店においては、手持ち用のダイナミックマイクロホンが用いられるが、不使用時には、マイクロホンの機能をオフにするためのスイッチが用いられる（例えば特許文献１参照）。図８の回路に示すように、スイッチ５１を用い、不使用時にダイナミックマイクロホン６０の出力を短絡して音声信号が出力されないようにしている。一般に、前記スイッチには、図７に示すようなスライドスイッチ５１が多く用いられている。
【０００３】
前記スライドスイッチ５１にあっては、ノブ５２をスライドすることにより、端子５３と端子５４との接続、或いは端子５４と端子５５との接続を切り替えるようになっている。このノブ５２のスライド動作にあっては、使用者に確実にスイッチを操作した感覚を与えるために、節度感（クリック感）を持たせた構造になされている。
【先行技術文献】
【特許文献】
【０００４】
【特許文献１】特開２０１４−０４５３５７号公報
【発明の概要】
【発明が解決しようとする課題】
【０００５】
しかしながら、前記ノブ５２をスライド移動させる際に節度感があると、マイクロホンのケースに振動が生じ、スイッチオフの際に振動雑音を発生させるという課題があった。
反対に、前記ノブ５２をスライドする際の節度感を弱くして振動雑音を低減すると、使用者自身がスイッチの操作を確実に行えたか否かを確信できないという課題があった。
【０００６】
本発明は、前記した点に着目してなされたものであり、スイッチ操作の際に節度感を損なうこと無く、振動雑音を低減することのできるマイクロホンスイッチを提供することを目的とする。
【課題を解決するための手段】
【０００７】
前記した課題を解決するために、本発明に係るマイクロホンスイッチは、ノブ本体と、前記ノブ本体の側面及び上面を覆う化粧ノブとを具備し、前記ノブ本体をスライドすることによりスイッチオフに切り替えを行うマイクロホンスイッチであって、前記ノブ本体の上面側に設けられるとともに前記化粧ノブを前記ノブ本体の上面から引き離す方向に付勢する弾性部材を有し、前記化粧ノブを押し込み、前記弾性部材を圧縮させることにより接点が閉じる第１のスイッチと、前記ノブ本体をスライドさせることにより接点が閉じる第２のスイッチとを備え、前記第１のスイッチが有する接点は、導電布または、圧力の印加により抵抗値が低下し導通する抵抗部材を含むことに特徴を有する。
尚、前記弾性部材は、スポンジにより形成されていることが望ましい。
【０００８】
このように本発明によれば、プッシュスイッチ（第１のスイッチ）の操作、即ち化粧ノブを押し込んで音声出力を短絡させた状態でスライドスイッチ（第２のスイッチ）を操作する構造であるため、節度感を得ることができ、操作感を失うこと無く振動雑音の発生を防止することができる。
【発明の効果】
【０００９】
本発明によれば、マイクロホンスイッチにおいて、スイッチオフの際に節度感を損なうこと無く、振動雑音を低減することができる。
【図面の簡単な説明】
【００１０】
【図１】図１は、本発明に係るマイクロホンスイッチの断面図である。
【図２】図２は、図１のマイクロホンスイッチの状態を示す等価回路である。
【図３】図３は、図１のマイクロホンスイッチの異なる状態（ノブを押した状態）を示す断面図である。
【図４】図４は、図３のマイクロホンスイッチの状態を示す等価回路である。
【図５】図５は、図１のマイクロホンスイッチの異なる状態（ノブをスライドした状態）を示す断面図である。
【図６】図６は、図５のマイクロホンスイッチの異なる状態を示す断面図である。
【図７】図７は、従来のスライドスイッチの側面図である。
【図８】図８は、従来のスライドスイッチの等価回路である。
【発明を実施するための形態】
【００１１】
以下、本発明の実施の形態を図面に基づき説明する。図１は、本発明に係るマイクロホンスイッチの断面図である。図２は、図１のマイクロホンスイッチの状態を示す等価回路である。図３は、図１のマイクロホンスイッチの異なる状態（ノブを押した状態）を示す断面図である。図４は、図３のマイクロホンスイッチの状態を示す等価回路である。図５は、図１のマイクロホンスイッチの異なる状態（ノブをスライドした状態）を示す断面図である。また、図６は、図５のマイクロホンスイッチの異なる状態を示す断面図である。
【００１２】
図１、図３、図５に示すように、本発明に係るマイクロホンスイッチ１は、マイクボディ１０の側面に設けられたスリット状のスイッチ用孔１０ａに沿ってスライド自在に設けられる。
具体的には、前記スイッチ用孔１０ａの裏側からプラスチック素材等からなる硬質の化粧ノブ２が挿入され、表側に突出するように配置される。また、この化粧ノブ２の下端から周囲に拡がるように板状のスライダ５が形成されている。化粧ノブ２を押し込むと、前記スライダ５も下方に沈んでマイクボディ１０裏面との間に隙間が生じ、マイクロホンスイッチ１は、マイクボディ１０の裏面に沿ってスイッチ用孔１０ａの長手方向にスライドできるようになっている。
【００１３】
また、化粧ノブ２の内部は空洞に形成され、その中にプラスチック素材等からなる硬質のノブ本体４が配置されている（ノブ本体４の側面及び上面を化粧ノブ２が覆っている）。また、ノブ本体４の上面側、即ち化粧ノブ２内部の天井部には、例えばスポンジからなる所定厚さの弾性部材３が設けられている。前記弾性部材３は、化粧ノブ２をノブ本体４から引き離す方向に付勢している。
前記化粧ノブ２は、ノブ本体４に対し上下方向に摺動可能となされているため、化粧ノブ２を下方に指先で押し込むと弾性部材３が圧縮されて、化粧ノブ２及びスライダ５が下方に移動し、指先を化粧ノブ２から離すと、弾性部材３の弾性力によって化粧ノブ２が上方に移動するようになっている。
【００１４】
また、前記スイッチ用孔１０ａの下方には、前記ノブ本体４がスライド可能なスリット（図示せず）が形成された基板６と、基板６の下面側（裏面側）に固定されたスイッチケーシング７とが設けられている。スイッチケーシング７内においては、前記ノブ本体４のスライド動作によって接点の切り替えを行うスライドスイッチ構造となっている。
具体的には、例えば図１の状態においては、図２の回路に示すように端子１２と端子１３とが接続され接点は開き、図５のようにノブをスライドさせた状態においては、図６の回路に示すように端子１１と端子１２とが接続され、接点が閉じるようになっている。
【００１５】
また、前記基板６の上面には、板状接点２２が設けられている。
一方、前記化粧ノブ２を押し込んだ際にスライド可能となるスライダ５の裏面には導電布２１が設けられている。
【００１６】
化粧ノブ２を押し込まない状態では、図１、図２（図２において符号３０はダイナミックマイクロホン）に示すように導電布２１と板状接点２２とは非接触の状態である。この状態から、図３、図４に示すように化粧ノブ２を押し込むと弾性部材３が圧縮され、スライダ５が下方に沈むことによって導電布２１と板状接点２２とが接触し、プッシュスイッチの接点が閉じる構成となっている（第１のスイッチ１Ａ）。
また、図３のように化粧ノブ２を押し込んだ状態から図５、図６に示すように化粧ノブ２（ノブ本体４）をスライドさせることにより、スライドスイッチの端子１２と端子１１とが接続され、接点が閉じる構成となっている（第２のスイッチ１Ｂ）。
【００１７】
このように構成されたマイクロホンスイッチ１において、例えば図１、図２に示すスイッチオフの状態（第１のスイッチ１Ａの接点が開き、第２のスイッチ１Ｂの端子１２と端子１３が接続される状態）から、図５、図６に示すスイッチオンの状態（第１のスイッチ１Ａの接点が閉じ、第２のスイッチ１Ｂの端子１１と端子１２が接続される状態）までの操作を行う場合、使用者は先ずマイクボディ１０を握り、指先で化粧ノブ２を押し込む。これにより弾性部材３が圧縮され、図３に示すようにスライダ５が下方に沈んで、スライダ５裏面側の導電布２１と基板６上の板状接点２２とが電気的に接続され、短絡状態となされる。ここで、板状接点２２に対し導電布２１が接触するにあたり、導電布２１が操作時の振動を吸収するため、接点が閉じる際の雑音が抑制される。また、弾性部材３により化粧ノブ２とノブ本体４とが直接当接しないようにして当接音の発生が抑制される。
【００１８】
次いで、前記のように化粧ノブ２が押し込まれた状態から、図５に示すように化粧ノブ２（ノブ本体４）をスライドさせると、スライドスイッチの端子１１と端子１２とが接続される。尚、このスライドスイッチに操作にあっては、化粧ノブ２を押し込んだ状態でスライド操作するため、節度感を得ることができる。
ここで、操作者が指先を離すと、化粧ノブ２とともにスライダ５は上昇し、導電布２１と板状接点２２との接続は解除されるが、スライドスイッチの端子１１，１２が接続されているため、短絡状態が維持される。これにより、スイッチオフ操作の際の振動雑音の発生が防止される。
【００１９】
以上のように、本発明に係る実施の形態によれば、プッシュスイッチ（第１のスイッチ１Ａ）の操作、即ち化粧ノブ２を押し込んで音声出力を短絡させた状態でスライドスイッチ（第２のスイッチ１Ｂ）を操作し、短絡状態を維持する構造であるため、節度感を得ることができ、操作感を失うこと無く振動雑音の発生を防止することができる。
【００２０】
尚、前記実施の形態にあっては、スライダ５の裏側に接点を構成するために導電布２２を設けたが、本発明にあっては、その構成に限定されるものではない。
例えば、前記導電布２２に替えて、圧力の印加により抵抗値が低下し導通する抵抗部材（例えばカーボン素材）を用いてもよい。その場合、化粧ノブ２を押し込む圧力が大きくなると抵抗値が低下するため、不用意なスイッチオフ動作を防止することができる。
【符号の説明】
【００２１】
１            マイクロホンスイッチ
１Ａ          第１のスイッチ
１Ｂ          第２のスイッチ
２            化粧ノブ
３            弾性部材
４            ノブ本体
５            スライダ
６            基板
７            スイッチケーシング
１０          マイクボディ
２１          導電布
２２          板状接点
【図１】
0006440316.tif 000002
【図２】
0006440316.tif 000003
【図３】
0006440316.tif 000004
【図４】
0006440316.tif 000005
【図５】
0006440316.tif 000006
【図６】
0006440316.tif 000007
【図７】
0006440316.tif 000008
【図８】
0006440316.tif 000009